(57)【要約】【課題】  室内外問わず使用できる植物の多目的な育成管理が可能な緑化構造体及び簡易フェンス又は広告表示体を提供する。【解決手段】  緑化構造体に脚部と支柱下部及び支柱上部を支持するための支柱設置部を複数設け、緑化構造体の内側に土、又は植物栽培容器等を収容するための凹部を設け、凹部の一部に水抜き穴と取付け口、さらに貯水可能な容器と容器を設置するための容器設置部を設ける。又緑化構造体の脚部には、脚部ねじ穴を設け、脚部ねじ穴に調節具又は車輪付調節具を設置することで簡易に高さ調節と移動が可能となる。【選択図】図１３
2018007650.tif 000002
【特許請求の範囲】
【請求項１】
植物の多目的な育成管理が可能な緑化構造体であって、緑化構造体に脚部と支柱下部及び支柱上部を支持するための支柱設置部を複数設け、緑化構造体の内側に土、又は植物栽培容器等を収容するための凹部を設け、凹部の一部に水抜き穴と取付け口、さらに貯水可能な容器と容器を設置するための容器設置部を設けた緑化構造体。
【請求項２】
前記支柱下部の後方を支柱下部挿入部とし、支柱下部の先方に支柱上部挿入部、又は固定具を挿入する空間部を設け、支柱下部の一部に突起部と支柱ねじを固定するためのねじ穴を設ける。また、支柱上部の後方を支柱上部挿入部とし、支柱上部の先方に固定具を挿入するための空間部を設け、支柱上部の一部に支柱ねじを固定するためのねじ穴を設けた請求項１の緑化構造体。
【請求項３】
支柱貫通孔及び支柱ねじ設置部を設けた蓋は、緑化構造体の凹部を覆う機能と支柱ねじ設置部に支柱ねじを固定することで支柱下部及び支柱上部の安定した使用が可能となる機能を併せ持つ蓋を備えた請求項１から請求項２の緑化構造体。
【請求項４】
緑化構造体の脚部に設けた脚部ねじ穴に調節具を設置することで高さ調節が可能となり又脚部ねじ穴に車輪付調節具を設置することで簡易に移動が可能となる請求項１から請求項３の緑化構造体。
【請求項５】
複数の緑化構造体を並べて支柱設置部に連結具を設置し、緑化構造体を複数の形態で連結する、又は複数の緑化構造体を所定の間隔にあけて配置し、支柱上部の先方の固定具に紐や棒等を固定し、複数の緑化構造体を繋ぐことで広範囲に安定した幅広い使用が可能となり、さらに固定具に固定した紐や棒等にビニールシートや布等を施すことで簡易な日除け雨除けが可能となる構成の請求項１から請求項４の緑化構造体。
【請求項６】
請求項１から請求項５のいずれか１項に記載の植物の多目的な育成管理が可能な緑化構造体を備えた簡易フェンス又は広告表示体。
【発明の詳細な説明】
【技術分野】
【０００１】  本発明は、室内外問わず使用できる植物の多目的な育成管理が可能な緑化構造体及び簡易フェンス又は広告表示体に関するものである。
【背景技術】
【０００２】  従来、緑化構造体は、プランターや容器に蔓植物等を育成し、ネット等を使用して緑のカーテンを形成する組立体（特許文献１）や複数のプランターや容器に植物等を育成し、壁状に並べて緑化壁（特許文献２）（特許文献３）を形成するものがある。また、簡易フェンスは、支柱の一部を地面に打ち込み複数を連結して使用する構成のフェンス又は仕切体（特許文献４）がある。
【先行技術文献】
【０００３】
【特許文献１】特開２０１３−１５０５５１号公報
【特許文献２】特開２０１６−２０６５号公報
【特許文献３】特開２０１６−７２０３号公報
【特許文献４】特開２０１５−８９３６１号公報
【発明の概要】
【発明が解決しようとする課題】
【０００４】  従来の緑化構造体及び簡易フェンス又は広告表示体は、次のような欠点があった。
（イ）、室内外問わず、緑のカーテン等のネット園芸、ビニールハウスを使用した家庭菜園、観賞用園芸等、植物の多目的な育成管理が可能な緑化構造体はなかった。
（ロ）、室内外問わず、植物の多目的な育成管理が可能な緑化構造体を備えた簡易フェンス又は広告表示体はなかった。
（ハ）、緑化構造体及び簡易フェンス又は広告表示体を屋外等で使用する際には、基礎や建物、壁等に固定しないと安定せず、設置する場所の傾斜等に対する対応が不十分であり、併せて簡易に移動可能な緑化構造体及び簡易フェンス又は広告表示体はなかった。
（ニ）、複数の緑化構造体及び簡易フェンス又は広告表示体を複数の形態で連結、又は繋ぐことで広範囲に安定した幅広い使用が可能となり、さらに簡易に日除け雨除けが可能となる構成の緑化構造体及び簡易フェンス又は広告表示体はなかった。
本発明は、以上のような欠点をなくすために発明されたものである。
【課題を解決するための手段】
【０００５】  緑化構造体（１）に脚部（１９）と支柱下部（２）及び支柱上部（３）を支持するための支柱設置部（１１）を複数設け、緑化構造体（１）の内側に土、又は植物栽培容器（３１）等を収容するための凹部（１６）を設け、凹部（１６）の一部に水抜き穴（１５）と取付け口（２２）、さらに貯水可能な容器（２１）と容器（２１）を設置するための容器設置部（２３）を設ける。【０００６】  前記支柱下部（２）の後方を支柱下部挿入部（４）とし、支柱下部（２）の先方に支柱上部挿入部（５）、又は固定具（８）を挿入する空間部を設け、支柱下部（２）の一部に突起部（６）と支柱ねじ（１０）を固定するためのねじ穴（７）を設ける。また、支柱上部（３）の後方を支柱上部挿入部（５）とし、支柱上部（３）の先方に固定具（８）を挿入する空間部を設け、支柱上部（３）の一部に支柱ねじ（１０）を固定するためのねじ穴（７）を設ける。【０００７】  支柱貫通孔（１３）及び支柱ねじ設置部（１４）を設けた蓋（１２）は、緑化構造体（１）の凹部（１６）を覆う機能と支柱ねじ設置部（１４）に支柱ねじ（１０）を固定することで支柱下部（２）及び支柱上部（３）の安定した使用が可能となる。【０００８】  緑化構造体（１）の脚部（１９）に設けた脚部ねじ穴（２０）に調節具（１７）を設置することで高さ調節が可能となり、又脚部ねじ穴（２０）に車輪付調節具（１８）を設置することで簡易に移動が可能となる。【０００９】  複数の緑化構造体（１）を並べて支柱設置部（１１）に連結具（２６）を設置し、複数の形態で緑化構造体（１）を連結、又は複数の緑化構造体（１）を所定の間隔にあけて配置し、支柱上部（３）の先方の固定具（８）に紐や棒等を固定し、複数の緑化構造体（１）を繋ぐことで広範囲に安定した幅広い使用が可能となり、さらに固定具（８）に固定した紐や棒等にビニールシートや布等を施すことで簡易な日除け雨除けが可能となる構成の緑化構造体及び簡易フェンス又は広告表示体。
以上の構成よりなる緑化構造体を備えた簡易フェンス又は広告表示体。
【発明の効果】
【００１０】  本発明を使用することによって、室内外問わず、緑のカーテン等のネット園芸、ビニールハウスを使用した家庭菜園等、植物の多目的な育成管理が可能になる。【００１１】  室内外問わず、植物の多目的な育成管理が可能な緑化構造体を備えた簡易フェンス又は広告表示体として使用できる。【００１２】  設置場所に傾斜等がある屋外等でも安定した使用が可能で、併せて簡易に移動可能な緑化構造体及び簡易フェンス又は広告表示体として使用できる。【００１３】  複数の緑化構造体及び簡易フェンス又は広告表示体を複数の形態で連結、又は繋ぐことで広範囲に安定した幅広い使用が可能となり、さらに簡易な日除け雨除けが可能になる。
【図面の簡単な説明】
【００１４】
【図１】  本発明のネット園芸の使用状態を示す斜視図である。
【図２】  本発明の緑化構造体に容器を設置した状態を示す側面図である。
【図３】  本発明の支柱下部の正面図である。
【図４】  本発明の支柱上部の正面図である。
【図５】  本発明の固定具の正面図である。
【図６】  本発明の支柱ねじの正面図である。
【図７】  本発明の緑化構造体の平面図である。
【図８】  本発明の蓋の平面図である。
【図９】  本発明の調節具の平面図である。
【図１０】  本発明の車輪付調節具の斜視図である。
【図１１】  本発明の脚部に調節具を設置した状態を示す斜視図である。
【図１２】  本発明のビニールハウス園芸の使用状態を示す斜視図である。
【図１３】  本発明の簡易フェンスの使用状態を示す斜視図である。
【図１４】  本発明の簡易間仕切り及びのぼり旗設置の使用状態を示す斜視図である。
【図１５】  本発明の連結具の正面図である。
【発明を実施するための形態】
【００１５】  以下、本発明の実施の形態を説明する。
緑化構造体（１）に脚部（１９）と支柱下部（２）及び支柱上部（３）を支持するための支柱設置部（１１）を複数設け、支柱下部（２）及び支柱上部（３）の設置本数や設置場所を変えることで、図１及び図１２に示すようにネット園芸、ビニールハウス園芸等の植物の多目的な育成管理を可能とし、用途に応じて、図１３及び図１４に示すように緑化機能を備えた簡易フェンスやのぼり旗（２９）の設置、又は室内の間仕切り等の使用を可能としている。
緑化構造体（１）に設けた支柱設置部（１１）の数及び脚部（１９）の形状は限定しない。支柱設置部（１１）の数は多い方が使用形態は広がる。
【００１６】  緑化構造体（１）の内側に土、又は植物栽培容器（３１）等を収容するための凹部（１６）を設け、凹部（１６）の一部に水抜き穴（１５）とホース（２４）を接続するための取付け口（２２）を設ける。さらに貯水可能な容器（２１）と容器（２１）を設置するための容器設置部（２３）を設ける。
緑化構造体（１）を屋外で使用する場合等には、図１３に示すように取付け口（２２）にホース（２４）を接続することで適切な場所への排水が可能となり、屋内で使用する場合等には、図１、図２、図１２、図１４に示すように容器設置部（２３）に貯水可能な容器（２１）を設置することで植物の育成管理に必要な灌水貯水排水を簡易に維持することができる。
容器（２１）は、図１及び図２に示すように水抜き穴（１５）から出る水が容器（２１）内に落ちて貯水できるように配置し、取付け口（２２）に当たらないよう容器（２１）に切れ目を設ける。さらに灌水用の如雨露として使用できるよう取手と水の出る口金を設けるのが好ましい。
【００１７】  前記支柱下部（２）の後方を支柱下部挿入部（４）とし、支柱下部（２）の先方に支柱上部挿入部（５）、又は固定具（８）を挿入する空間部を設け、支柱下部（２）の一部に突起部（６）と支柱ねじ（１０）を固定するためのねじ穴（７）を設ける。また、支柱上部（３）の後方を支柱上部挿入部（５）とし、支柱上部（３）の先方に固定具（８）を挿入する空間部を設け、支柱上部（３）の一部に支柱ねじ（１０）を固定するためのねじ穴（７）を設ける。
固定具（８）は、図５及び図１４に示すように固定具ねじ（９）により紐や棒等を固定し、のぼり旗（２９）やネット（２５）等の安定した使用を可能とする。
図１３に示すように板（２８）等を施した簡易フェンスとして使用した場合、重さにより一定の強度が必要となるため、支柱下部挿入部（４）及び支柱上部挿入部（５）の長さを長くする、又は支柱下部挿入部（４）及び支柱上部挿入部（５）の先端と支柱設置部（１１）をねじ形状にして固定すれば強度を上げることが可能である。
【００１８】  図８に示す支柱貫通孔（１３）及び支柱ねじ設置部（１４）を設けた蓋（１２）は、図１４に示すように緑化構造体（１）の凹部（１６）を覆う機能と、図１３に示すように支柱ねじ設置部（１４）に支柱ねじ（１０）を固定することで支柱下部（２）及び支柱上部（３）が安定し、簡易フェンス等の安定した使用が可能となる。
蓋（１２）に設けた支柱ねじ設置部（１４）、支柱貫通孔（１３）の数、形状は限定しない。蓋（１２）に設ける支柱ねじ設置部（１４）と支柱貫通孔（１３）の数は少なくする方が強度を保つことが出来る。
【００１９】  図１１及び図１２に示すように緑化構造体（１）の脚部（１９）に設けた脚部ねじ穴（２０）に調節具（１７）を設置することで高さ調節が可能となり、又脚部ねじ穴（２０）に図１０に示す車輪付調節具（１８）を設置すると簡易に移動が可能となる。調節具（１７）は、設置場所が土等の場合、調節具（１７）を地中に埋めることで、緑化構造体（１）の安定した使用ができる。
調節具（１７）と車輪付調節具（１８）は、微調整が可能なねじ形状が好ましい。
【００２０】  図１３及び図１４に示すように複数の緑化構造体（１）を並べて支柱設置部（１１）に連結具（２６）を設置し、複数の形態で緑化構造体（１）を連結、又は複数の緑化構造体（１）を所定の間隔にあけて配置し、支柱上部（３）の先方の固定具（８）や支柱ねじ（１０）に紐や棒等を固定し、複数の緑化構造体（１）を紐や棒等により一定間隔に繋がれた状態にして、紐や棒等にネット（２５）を施すことで広範囲に緑のカーテンを創出できる。さらに複数の緑化構造体（１）を紐や棒等により一定間隔に繋がれた状態にして、紐や棒等にビニールシートや布等を施し、広げた状態にすることで簡易な日除け雨除けが可能となる構成の緑化構造体及び簡易フェンス又は広告表示体。
連結具（２６）の形状は限定しない。連結具（２６）は、図１５に示すように連結具ねじ（２７）により固定することで安定した使用が可能となる。
【符号の説明】
【００２１】１  緑化構造体
２  支柱下部
３  支柱上部
４  支柱下部挿入部
５  支柱上部挿入部
６  突起部
７  ねじ穴
８  固定具
９  固定具ねじ
１０  支柱ねじ
１１  支柱設置部
１２  蓋
１３  支柱貫通孔
１４  支柱ねじ設置部
１５  水抜き穴
１６  凹部
１７  調節具
１８  車輪付調節具
１９  脚部
２０  脚部ねじ穴
２１  容器
２２  取付け口
２３  容器設置部
２４  ホース
２５  ネット
２６  連結具
２７  連結具ねじ
２８  板
２９  のぼり旗
３０  ビニール
３１  植物栽培容器
【図１】
2018007650.tif 000003
【図２】
2018007650.tif 000004
【図３】
2018007650.tif 000005
【図４】
2018007650.tif 000006
【図５】
2018007650.tif 000007
【図６】
2018007650.tif 000008
【図７】
2018007650.tif 000009
【図８】
2018007650.tif 000010
【図９】
2018007650.tif 000011
【図１０】
2018007650.tif 000012
【図１１】
2018007650.tif 000013
【図１２】
2018007650.tif 000014
【図１３】
2018007650.tif 000015
【図１４】
2018007650.tif 000016
【図１５】
2018007650.tif 000017